【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
プラットフォームに関連付けられるアセット（４０４）の管理方法であって、
プラットフォームに関連付けられるアセット（４０４）の光画像（４０２）を受け取ることと、
光学的識別プログラム（４０２）を使用して、前記アセット（４０４）の光画像（４０２）を、アセットの画像（４０２）のライブラリ内のアセット（４０４）の画像と比較することにより、アセット（４０４）を識別することと、
識別されたアセット（４０４）に位置を割り当てることと、
前記アセット（４０４）の識別と位置とに基づいて、アセットインベントリ（４３０、４４０）及びプラットフォーム構成の一つ以上を含むデータベース（４３０、４４０）を更新することと
を含む方法。
【請求項２】
アセット（４０４）が、同種の複数のアセットのうちの一つであり、前記方法が、同種の複数のアセットのうちの特定のアセットを示す指標を含むデータをユーザインターフェースに入力することにより、アセット（４０４）を識別することをさらに含み、
特定のアセットを示す指標の入力が、シリアル番号及び部品番号のうちの少なくとも一つを含み  
アセット（４０４）の光画像（４０２）をアセット画像（４０２）のライブラリ内のアセット（４０４）の画像と比較することが、モデルに基づくアルゴリズムを使用してアセット（４０４）の固有のフィーチャを識別することを含む、請求項１に記載の方法。
【請求項３】
識別されたアセットに位置を割り当てることが、
アセット（４０４）の画像（４０２）を取得した装置内部におけるＧＰＳ参照から、識別されたアセット（４０４）の位置を外挿すること、
アセット（４０４）の画像（４０２）を取得した該装置に関連付けられたユーザインターフェースに位置を手入力すること、及び
固定位置にある撮像デバイス（４０２）から受け取った画像（４０２）について、識別されたアセット（４０４）の位置をデータベース（４３０、４４０）に自動入力すること
のうちの少なくとも一つを含む、請求項１または２に記載の方法。
【請求項４】
前記受け取ること、前記比較すること、及び前記割り当てることを、アセット（４０４）に関連付けられた複数の位置で行うことにより、アセット（４０４）の正確な位置データを維持し、
前記複数の位置には、倉庫内の中間地点（５０２、５０４）、アセット修理工場、アセット（４０４）のサプライビン、及びアセット（４０４）の配置プラットフォームのうちの少なくとも一つが含まれる、請求項１から３の何れか一項に記載の方法。
【請求項５】
アセットの位置データを使用して、少なくとも一つの交換アセット（４０４）の発注を開始することと、
アセットの位置データを、位置と位置との間でのアセット（４０４）の配送に使用される自動化情報技術と相関させることとをさらに含み、
前記比較することによりアセット（４０４）種類が識別され、
前記取得された光画像（４０２）を表わすデータを、アセット画像（４０２）のライブラリを表わすデータと比較することが、前記取得された光画像（４０２）を表わすデータを、三次元図面を表わすデータと比較することを含む、請求項１から４のいずれか一項に記載された方法。
【請求項６】
循環アセット（４０４）を識別することと、
アセット（４０４）の光画像（４０２）を取得することと、
前記光画像（４０２）を、取得された光画像（４０２）を表わすデータとしてコンピュータメモリに格納することと、
光学的認識プログラム（４０２）を使用して、前記取得された光画像（４０２）を表わすデータを、アセット画像（４０２）のライブラリを表わすデータと比較することにより、アセット（４０４）を識別することと
をさらに含む、請求項１から５のいずれか一項に記載された方法。
【請求項７】
一又は複数のプラットフォームに関連付けられる循環アセット（４０４）の識別及び位置追跡のためのシステムであって、
循環アセット（４０４）の光画像（４０２）を表わすデータを生成する画像取得装置（４０２）と、
複数の循環アセット（４０４）の三次元図面を表わすデータを含むデータベース（４１０、４２０）と、
前記循環アセット（４０４）の光画像（４０２）を表わすデータを、前記複数の循環アセットのうちの一つの三次元図面を表わすデータと関連付けることにより、画像（４０２）が取得された循環アセット（４０４）を識別するようにプログラムされた少なくとも一つの処理装置（４０２）と
を備えるシステム。
【請求項８】
前記少なくとも一つの処理装置（４０２）が、前記循環アセット（４０２）の光画像（４０４）を表わすデータに位置を関連付けるようにプログラムされており、
前記画像取得装置（４０２）及び前記少なくとも一つの処理装置（４０２）のうちの少なくとも一つが、ＧＰＳ参照能を有しており、前記少なくとも一つの処理装置（４０２）がＧＰＳ位置を前記循環アセットの光画像（４０２）を表わすデータに関連付けるようにプログラムされている、請求項７に記載のシステム。
【請求項９】
前記少なくとも一つの処理装置（４０２）に通信可能に連結されたユーザインターフェースをさらに備えており、前記システムが、同種の複数のアセット（４０４）の組について、前記ユーザインターフェースを介して前記同種の複数のアセットの組のうちの特定のアセットを表わす指標を含むデータを入力することができる、請求項７または８に記載のシステム。
【請求項１０】
循環アセット（４０４）の光画像（４０２）を表わすデータに、複数の循環アセット（４０４）のうちの一つの三次元図面を表わすデータを関連付けるために、前記処理装置（４０２）が、モデルに基づくアルゴリズムを使用して、循環アセット（４０４）の光画像（４０２）を表わすデータ及び複数の循環アセット（４０４）の三次元図面を表わすデータに含まれる固有のフィーチャを識別するようにプログラムされている、請求項７または８に記載のシステム。
【手続補正２】
【補正対象書類名】明細書
【補正対象項目名】００６２
【補正方法】変更
【補正の内容】
【００６２】
本明細書では、ベストモードを含む様々な実施形態を開示する実施例を使用しているため、当業者は任意の機器やシステムの作製ならびに使用、及び組込まれた任意の方法の実施を含め、これらの実施形態を実行することができる。特許可能な範囲は、特許請求の範囲によって定義されており、当業者であれば想起する他の実施例も含みうる。このような他の実施例は、それらが特許請求の範囲の文字言語から逸脱しない構造要素を有する場合、あるいは、それらが特許請求の範囲の文字言語との有意でない相違を有する等価な構造要素を含んでいる場合は、特許請求の範囲に含まれる。
また、本願は以下に記載する態様を含む。
（態様１）
プラットフォームに関連付けられるアセットの管理方法であって、
プラットフォームに関連付けられるアセットの光画像を受け取ることと、
光学的識別プログラムを使用して、前記アセットの光画像を、アセットの画像のライブラリ内のアセットの画像と比較することにより、アセットを識別することと、
識別されたアセットに位置を割り当てることと、
前記アセットの識別と位置とに基づいて、アセットインベントリ及びプラットフォーム構成の一つ以上を含むデータベースを更新することと
を含む方法。
（態様２）
アセットが、同種の複数のアセットのうちの一つであり、前記方法が、同種の複数のアセットのうちの特定のアセットを示す指標を含むデータをユーザインターフェースに入力することにより、アセットを識別することをさらに含む、態様１に記載の方法。
（態様３）
特定のアセットを示す指標の入力が、シリアル番号及び部品番号のうちの少なくとも一つを含む、態様２に記載の方法。
（態様４）
アセットの光画像をアセット画像のライブラリ内のアセットの画像と比較することが、モデルに基づくアルゴリズムを使用してアセットの固有のフィーチャを識別することを含む、態様１に記載の方法。
（態様６）
識別されたアセットに位置を割り当てることが、
アセットの画像を取得した装置内部におけるＧＰＳ参照から、識別されたアセットの位置を外挿すること、
アセットの画像を取得したデバイスに関連付けられたユーザインターフェースに位置を手入力すること、及び
固定位置にある撮像デバイスから受け取った画像について、識別されたアセットの位置をデータベースに自動入力すること
のうちの少なくとも一つを含む、態様１に記載の方法。
（態様７）
前記受け取ること、前記比較すること、及び前記割り当てることを、アセットに関連付けられた複数の位置で行うことにより、アセットの正確な位置データを維持する、態様１に記載の方法。
（態様８）
前記複数の位置には、倉庫内の中間地点、アセット修理工場、アセットのサプライビン、及びアセットのペイロード配置プラットフォームのうちの少なくとも一つが含まれる、態様７に記載の方法。
（態様９）
アセットの位置データを使用して、少なくとも一つの交換アセットの発注を開始することをさらに含む、態様１に記載の方法。
（態様１０）
アセットの位置データを、位置と位置との間でのアセットの配送に使用される自動化情報技術と相関させることをさらに含む、態様１に記載の方法。
（態様１１）
一又は複数のプラットフォームに関連付けられる循環アセットの識別及び位置追跡のためのシステムであって、
循環アセットの光画像を表わすデータを生成する画像取得装置と、
複数の循環アセットの三次元図面を表わすデータを含むデータベースと、
前記循環アセットの光画像を表わすデータを、前記複数の循環アセットのうちの一つの三次元図面を表わすデータと関連付けることにより、画像が取得された循環アセットを識別するようにプログラムされた少なくとも一つの処理装置と
を備えるシステム。
（態様１２）
前記少なくとも一つの処理装置が、前記循環アセットの光画像を表わすデータに位置を関連付けるようにプログラムされている、態様１１に記載のシステム。
（態様１３）
前記画像取得装置及び前記少なくとも一つの処理装置のうちの少なくとも一つが、ＧＰＳ参照能を有しており、前記少なくとも一つの処理装置がＧＰＳ位置を前記循環アセットの光画像を表わすデータに関連付けるようにプログラムされている、態様１１に記載のシステム。
（態様１４）
前記少なくとも一つの処理装置に通信可能に連結されたユーザインターフェースをさらに備えており、前記システムが、同種の複数のアセットの組について、前記ユーザインターフェースを介して前記同種の複数のアセットの組のうちの特定のアセットを表わす指標を含むデータを入力することができる、態様１１に記載のシステム。
（態様１５）
循環アセットの光画像を表わすデータに、複数の循環アセットのうちの一つの三次元図面を表わすデータを関連付けるために、前記処理装置が、モデルに基づくアルゴリズムを使用して、循環アセットの光画像を表わすデータ及び複数の循環アセットの三次元図面を表わすデータに含まれる固有のフィーチャを識別するようにプログラムされている、態様１１に記載のシステム。
（態様１６）
循環アセットの識別方法であって、
アセットの光画像を取得することと、
前記光画像を、取得された光画像を表わすデータとしてコンピュータメモリに格納することと、
光学的認識プログラムを使用して、前記取得された光画像を表わすデータを、アセット画像のライブラリを表わすデータと比較することにより、アセットを識別することと
を含む方法。
（態様１７）
前記比較することによりアセット種類が識別され、前記方法は、識別された種類のうちの特定のアセットを表わす指標を含むデータをユーザインターフェースに入力することをさらに含む、態様１６に記載の方法。
（態様１８）
前記取得された光画像を表わすデータを、アセット画像のライブラリを表わすデータと比較することが、前記取得された光画像を表わすデータを、三次元図面を表わすデータと比較することを含む、態様１６に記載の方法。